(57)【要約】【課題】常時携帯使用に便利で、かつ非常事態に対応する信号灯や警笛機能を備えた警報発生用携帯ライトを提供する。【解決手段】照明部が、本体部の先端に設けられた発光部の外周を覆って本体部に固定された側壁面が透明な第２照明用筒体と、該第２照明用筒体と二重に重なり、前方へ摺動可能な第１照明用筒体とからなっており、該第１照明用筒体の側壁面が遮光性を有しており、第１照明用筒体を延長方向へ引き出した際に、第２照明用筒体の側方から発光体の光が照射され、第１照明用筒体を第２照明用筒体と重なる位置に戻すと第１照明用筒体の先端から発光体の光が照射されるようになっていることを特徴とする。【選択図】図１
2007305316.tif 000002
【特許請求の範囲】
【請求項１】
電池収納部を有する本体部と、該本体部の一方端側に設けられた照明部と、該本体部に一体にまたは着脱可能に設けられた笛部などの音声発生部とからなる警報発生用携帯ライトにおいて、
照明部が、本体部の先端に設けられた発光部の外周を覆って本体部に固定された側壁面が透明な第２照明用筒体と、該第２照明用筒体と二重に重なり、前方へ摺動可能な第１照明用筒体とからなっており、
該第１照明用筒体の側壁面が遮光性を有しており、
第１照明用筒体を延長方向へ引き出した際に、第２照明用筒体の側方から発光体の光が照射され、第１照明用筒体を第２照明用筒体と重なる位置に戻すと第１照明用筒体の先端から発光体の光が照射されるようになっていることを特徴とする警報発生用携帯ライト。
【請求項２】
電池収納部を有する本体部と、該本体部の一方端側に設けられた照明部と、該本体部に一体にまたは着脱可能に設けられた笛部などの音声発生部とからなる警報発生用携帯ライトにおいて、
照明部が、本体部の先端に設けられた発光部の外周を覆って本体部に固定された側壁面が透明な第２照明用筒体と、該第２照明用筒体と二重に重なり、前方へ摺動可能な第１照明用筒体とからなっており、
該第１照明用筒体に前記発光部を覆う反射板を設けてなり、
第１照明用筒体を延長方向に引き出した際に、第２照明用筒体の側方から発光体の光が照射され、第１照明用筒体を第２照明用筒体と重なる位置に戻すと第１照明用筒体の先端から発光体の光が照射されるようになっていることを特徴とする警報発生用携帯ライト。
【請求項３】
笛部が先端に電池収納部に収納された電池の接触端子を備えて本体部の基端開口を着脱可能に塞ぐ電池抑えキャップを有してなることを特徴とする請求項１または２に記載の警報発生用携帯ライト。
【請求項４】
電池収納部を有する本体部と、該本体部に設けられた照明部と、該本体部に一体にまたは着脱可能に設けられた笛部とからなる警報発生用携帯ライトにおいて、
本体部の一方端側に設けられた第１発光体を有する第１照明部と、
本体部の他方端側に設けられた第２発光体を有する第２照明部と、
該第２照明部に着脱可能に取り付けられて第２照明部を塞ぐカバーを有する笛部とからなっていることを特徴とする警報発生用携帯ライト。
【請求項５】
カバーを有する笛部のカバーと接触する第２照明部または本体部に、前記笛部のカバーを外した際に電池を通電させるスイッチを設けてなることを特徴とする請求項４に記載の警報発生用携帯ライト。
【請求項６】
笛部に該笛部と一体に回転するロータリスイッチの回転操作部が設けられていることを特徴とする請求項１、２または４に記載の警報発生用携帯ライト。
【請求項７】
電池収納部を有する本体部と、該本体部の一方端側に設けられた照明部と、該本体部の中途位置に設けられた電子ブザー部などの音声発生部とからなる警報発生用携帯ライトにおいて、
照明部が、本体部の先端に設けられた発光部の外周を覆って本体部に固定された側壁面が透明な第２照明用筒体と、該第２照明用筒体と二重に重なり、前方へ摺動可能な第１照明用筒体とからなっており、
該第１照明用筒体の側壁面が遮光性を有しており、
第１照明用筒体を延長方向へ引き出した際に、第２照明用筒体の側方から発光体の光が照射され、第１照明用筒体を第２照明用筒体と重なる位置に戻すと第１照明用筒体の先端から発光体の光が照射されるようになっていることを特徴とする警報発生用携帯ライト。
【請求項８】
電池収納部を有する本体部と、該本体部の一方端側に設けられた照明部と、該本体部の中途位置に設けられた電子ブザー部などの音声発生部とからなる警報発生用携帯ライトにおいて、
照明部が、本体部の一方端側に内蔵された発光部の外周を覆って本体部内に設けられた側壁面が透明な第２照明用筒体と、
該第２照明用筒体の外周に沿って形成された環状の溝部と、
該溝部に出没自在に収納されて前記第２照明用筒体と二重に重なり、延長方向へ摺動可能な第１照明用筒体とからなっており、
該第１照明用筒体の側壁面が遮光性を有しており、
第１照明用筒体を引き出した際に、第２照明用筒体の側方から発光体の光が本体部の先端側の透明部を介して照射され、第１照明用筒体を第２照明用筒体と重なる位置に戻すと第１照明用筒体の先端から発光体の光が照射されるようになっていることを特徴とする警報発生用携帯ライト。
【請求項９】
本体部に電子ブザー部が設けられており、本体部の後方となる基端に笛部が設けられていることを特徴とする請求項８に記載の警報発生用携帯ライト。
【発明の詳細な説明】
【技術分野】
【０００１】
本発明は、警報灯と笛または電子ブザーを備えた警報発生用携帯ライトに関する。
【背景技術】
【０００２】
従来、平常時には懐中電灯として使用することができ、災害時や遭難時などの非常時には、護身用となるライトは種々開発されている。
例えば、特公平８−８００１号や特許第２６６０３２３号公報などの非常灯付き懐中電灯では、信号筒用筒状部を有する摺動体を前方に摺動し、または透孔性スリーブを前方に螺進させるなどして、前方へ移動させ、これと共に電球を覆って光を前方へガイドする反射板（リフレクター）を電球から前方へ離間させて側の信号筒用筒状部や透孔性スリーブから着色された光を発光させるようになっている。
上記構成では、常に反射板（リフレクター）を設ける必要があり、通常使用時には反射板（リフレクター）で電球の外周を覆う必要があり、更に、その際には信号筒用筒状部や透孔性スリーブが電球の光を通さない位置まで離間する必要があった。
また、前記摺動体の信号筒用筒状部や透孔性スリーブは外側に配置されるが、これらが破損した場合には非常灯として機能しないという欠点があった。
また、前記懐中電灯では常に電池を必要とするため使用時間が電池寿命に限定され、屋外での非常時に長時間の使用はできないという問題点があった。
そこで、特願平８−２１４９２２号や特開平９−２２６０３号の笛付懐中電灯では、懐中電灯に笛を着脱自在に又は一体に設けることで、懐中電灯と笛とを同時に使用したり、電池が消耗しても笛だけは使用することができるようにした構造が提案されている。
しかし、上記の懐中電灯では警報灯として使用することができない。
そこで、両者を組合せて非常灯付き懐中電灯に笛を取り付ける構造が考えられるが、その場合にも前述のように欠点があった。
【０００３】
【特許文献１】特許２６６０３２３号公報
【特許文献２】特公平８−８００１号公報
【特許文献３】特願平８−２１４９２２号公報
【発明の開示】
【発明が解決しようとする課題】
【０００４】
本発明は上記事情に鑑み創案されたものであって、その主たる課題は、簡単な構造でありながら、非常灯と警報のいずれも使用することができる信頼性の高い警報発生用携帯ライトを提供することにある。
【課題を解決するための手段】
【０００５】
上記課題を解決するために請求項１の発明の警報発生用携帯ライトでは、
電池収納部を有する本体部と、該本体部の一方端側に設けられた照明部と、該本体部に一体にまたは着脱可能に設けられた笛部などの音声発生部とからなる警報発生用携帯ライトにおいて、
照明部が、本体部の先端に設けられた発光部の外周を覆って本体部に固定された側壁面が透明な第２照明用筒体と、該第２照明用筒体と二重に重なり、前方へ摺動可能な第１照明用筒体とからなっており、
該第１照明用筒体の側壁面が遮光性を有しており、
第１照明用筒体を延長方向へ引き出した際に、第２照明用筒体の側方から発光体の光が照射され、第１照明用筒体を第２照明用筒体と重なる位置に戻すと第１照明用筒体の先端から発光体の光が照射されるようになっていることを特徴とする。
請求項２の発明では、
照明部が、本体部の先端に設けられた発光部の外周を覆って本体部に固定された側壁面が透明な第２照明用筒体と、該第２照明用筒体と二重に重なり、前方へ摺動可能な第１照明用筒体とからなっており、
該第１照明用筒体に前記発光部を覆う反射板を設けてなり、
第１照明用筒体を延長方向に引き出した際に、第２照明用筒体の側方から発光体の光が照射され、第１照明用筒体を第２照明用筒体と重なる位置に戻すと第１照明用筒体の先端から発光体の光が照射されるようになっていることを特徴とする。
請求項３の発明では、
前記笛部が先端に電池収納部に収納された電池の接触端子を有して本体部の基端開口を着脱可能に塞ぐ電池抑えキャップを有することを特徴とする。
請求項４の発明では、
電池収納部を有する本体部と、該本体部に設けられた照明部と、該本体部に一体にまたは着脱可能に設けられた笛部とからなる警報発生用携帯ライトにおいて、
本体部の一方端側に設けられた第１発光体を有する第１照明部と、
本体部の他方端側に設けられた第２発光体を有する第２照明部と、
該第２照明部に着脱可能に取り付けられて第２照明部を塞ぐカバーを有する笛部とからなっていることを特徴とする。
請求項５の発明では、
前記カバーを有する笛部のカバーと接触する第２照明部または本体部に、前記笛部のカバーを外した際に電池を通電させるスイッチを設けてなることを特徴とする。
請求項６の発明では、
前記笛部に該笛部と一体に回転するロータリスイッチの回転操作部が設けられていることを特徴とする。
請求項７の発明では、
電池収納部を有する本体部と、該本体部の一方端側に設けられた照明部と、該本体部の中途位置に設けられた電子ブザー部などの音声発生部とからなる警報発生用携帯ライトにおいて、
照明部が、本体部の先端に設けられた発光部の外周を覆って本体部に固定された側壁面が透明な第２照明用筒体と、該第２照明用筒体と二重に重なり、前方へ摺動可能な第１照明用筒体とからなっており、
該第１照明用筒体の側壁面が遮光性を有しており、
第１照明用筒体を延長方向へ引き出した際に、第２照明用筒体の側方から発光体の光が照射され、第１照明用筒体を第２照明用筒体と重なる位置に戻すと第１照明用筒体の先端から発光体の光が照射されるようになっていることを特徴とする。
また、請求項８の発明では、
電池収納部を有する本体部と、該本体部の一方端側に設けられた照明部と、該本体部の中途位置に設けられた電子ブザー部などの音声発生部とからなる警報発生用携帯ライトにおいて、
照明部が、本体部の一方端側に内蔵された発光部の外周を覆って本体部内に設けられた側壁面が透明な第２照明用筒体と、
該第２照明用筒体の外周に沿って形成された環状の溝部と、
該溝部に出没自在に収納されて前記第２照明用筒体と二重に重なり、延長方向へ摺動可能な第１照明用筒体とからなっており、
該第１照明用筒体の側壁面が遮光性を有しており、
第１照明用筒体を引き出した際に、第２照明用筒体の側方から発光体の光が本体部の先端側の透明部を介して照射され、第１照明用筒体を第２照明用筒体と重なる位置に戻すと第１照明用筒体の先端から発光体の光が照射されるようになっていることを特徴とする。
更に、請求項９の発明では、
本体部に電子ブザー部が設けられており、本体部の後方となる基端に笛部が設けられていることを特徴とする。
【発明の効果】
【０００６】
この発明の警報発生用携帯ライトは、コンパクトな携帯ライトとして手軽に使用でき、音声のみの警報では位置を知らせにくい場合でも、非常時には赤色などの着色された照明に切り替えて瞬時に非常用ライトとして使用することで優れた警報機能を発揮できる。
また、笛部などの音声発生部を設けることで、前記ライトと併せて、または状況に応じて単独で使用することができるので、多用途に使用することができる。
更に、この発明では、第２照明用筒体が第１照明用筒体、あるいは笛カバーによって覆われているので、不使用時に直接に外部に露出することがないので、外的衝撃により破損することがなく、災害時などの非常時に照明部を瞬時に確実に発光させることができる。
また、笛部を設けることで、電池が消耗した場合であっても笛を鳴らして保護や救助を求めることができる。
次ぎに、警報発生用携帯ライトの用途の一例を列挙する。
（１）家庭内で大地震や台風などの災害時に警報を発することができ、防災用として有益である。
即ち、日常は携帯ライトとして使用し、災害時には、笛を吹いて災害の発生等の危険や避難を知らせ、あるいは同時に救助を求めることができる。
特に、笛を用いれば、使用者が動けず声もでない場合にも救助を求めることができる。
（２）女性や子供などの護身用として有益である。
年々増加する女性に対する犯罪や、子供や要介護者に対する犯罪に対して、身を守るために使用することができる。ライトで夜道を照らし、非常時には非常信号灯として点灯し、また呼び子としても使用できる。
また、操作用のリングを取り付けることで、各種ストラップやキーホルダーを付けることもできる。
（３）老齢者の緊急用としても有益である。
一人暮らしの老齢者などであっても、急病や火事などの非常時に笛を吹いて救助を求めたり、場所を知らせることができる。
夜間の場合、呼び子や非常信号灯を点灯することで窓やベランダからも救助を求めることができる。外出時にはストラップを繋げて首などに吊り下げて携帯することで紛失を防ぎ、非常時に瞬時に使用することが可能となり、ひったくりや夜道での事故に対するセイフティライトとしても使用できる。
（４）電車などの乗り物内での痴漢や暴力対策としても有効である。
車内での痴漢や暴行に対して声を出せない場合でも、非常灯を点灯することで周囲に対して救助を求めることができ、犯人に対しても威嚇となって撃退することができる。
（５）夜道での事故防止などの交通安全対策として有効である。
夜道での歩行や自転車通行では、赤色信号灯を点灯することで視認しやすくして、他の車両との接触事故など交通事故を予防することができる。
また、ひったくりなどの突然の犯罪に対しても笛を吹いて周囲に助けを求めることができる。
（６）山登りやハイキング、キャンプなどのアウトドアでの事故や災害に対して有効である。
山菜摘みや茸採りなどで山に入った時に、時々笛を吹くことで、それぞれの位置と安全を知らせ合うことができ、遭難した場合には笛や信号灯で現在位置を知らせて救助を求めることができる。
（７）夜祭りや花火大会などでも有効である。
ライトで足元を照らしたり、集合の合図灯として使用したり、迷子になったとき、または迷子を捜す際の呼び笛として使用することができる。
また、家族やグループでポケットにクリップで掛け止めて使用すれば、グループの表示灯になる。
【発明を実施するための最良の形態】
【０００７】
この発明は、電球を内側に有し、着色された透明筒部を内管とし、外管として前後にスライド可能な二重管構造の不透明筒部を設けた非常灯部を形成し、反対側に笛などの音声発生部を設けることで、非常時における信頼性の向上を実現した。
【実施例１】
【０００８】
以下にこの発明の警報発生用携帯ライトの好適実施例について、図面を参照しながら説明する。
なお、説明の便宜上、図面中左側を前方とし、右側を後方とする。
実施例１の警報発生用携帯ライト１は、図１に示すように、電源となる電池を収納すると共に把持部となる長筒状の本体部２と、該本体部２の先端に設けられた照明部３と、本体部２の基端側に設けられた音声発生部の一例としての笛部４とからなっている。
【０００９】
本体部２は、１または複数の乾電池（図１）またはボタン電池(図２）を電源として内部に収納する中空の電池収納部を有し、後述の発光部６と接続される公知の通電回路（図示せず）が形成される筒体からなっている。
【００１０】
また、本体部２の先端には、前記通電回路に接続された電球やＬＥＤからなる発光部６が中央に取り付けられており、発光部６への通電回路からの通電をＯＮ−ＯＦＦするスイッチＳが、本体部２の先端に設けられた発光部６の接点を有する頭部２ａで外方へ突出している。
ここで、前記通電回路は、必要に応じては照明部３を通常のように点灯させたり、点滅を繰り返すなどの公知の回路構成としてもよく、以下の実施例にても同じである。
また、図示例の場合、本体部２の中途位置で基端寄りには、本体部２と一体に、または着脱可能にクリップ部５が取り付けられている。
【００１１】
照明部３は、本体部２の先端で、本体部２の延出方向に突出する第２照明用筒体３２と、該第２照明用筒体３２に摺動可能に外嵌して二重筒構造となる第１照明用筒体３１と、第１照明用筒体３１の先端に設けられたレンズ部３３とからなっている。
【００１２】
第２照明用筒体３２は、その外壁の全部または第１照明用筒体３１が前方へ摺動した際に露出する部分が透明性を有しており、本実施例では赤色に着色されている。
【００１３】
第２照明用筒体３２の色彩は、上記実施例に限定されず、他の色彩や第１照明用筒体３１と同じ白色であってもよい。その場合、第１照明部３１と第２照明部３２とで光の照射方向を直進方向と側方向とに切り替えることができ、例えば第２照明部３２を用いてミニランタンのように使用することもできる。
【００１４】
また、第２照明用筒体３２は、外周の形状を例えば波形断面とすることで光を強くするようにしてもよい。
この第２照明用筒体３２には、遮光性を有する第１照明用筒体３１が摺動可能に外嵌しており、第１照明用筒体３１を前方へ引出した際に第２照明用筒体３２から抜け落ちないようにストッパ手段が設けられている。
【００１５】
図３はストッパ手段の一例を示す図であって、第２照明用筒体３２の先端寄りに形成された取付溝３４に、外端が第２照明用筒体３２の周壁面より外側に突出する方向に付勢されて出没可能なバネ材３５が取り付けられており（図３（ｃ）参照）、第１照明用筒体３１の内壁面には、その摺動方向に沿って前記突出状態のバネ材３５を移動させるためのスライド溝３６が形成されている（図３（ｂ）参照）。
【００１６】
このスライド溝３６は、その前端が、第１照明用筒体３１を退動した際に前記バネ材３５が衝合してそれ以上の退動を規制する第１段部３６ａとなっており、摺動溝３６の後端は、第１照明用筒体３１を進動した際に前記バネ材３５が衝合してそれ以上の進動を規制して抜け落ちを防止する第２段部３６ｂとなっている。
【００１７】
笛部４は、前記本体部２の基端側（照明部３と反対の側）に取り付けられており、吹き口４１が最も外側となるように配置されている。
この笛部４は、本体部２に着脱可能に取り付けられており、本体部２に取り付けられたままでも、あるいは本体部２から外した状態でも警笛を鳴らすことができるようになっている。
また、この笛部４の先端は、特開平９−２２６０３号に示されたように、先端に電池収納部に収納された電池の接触端子となるスプリング４３を有して本体部２の基端開口を塞ぐ電池抑えキャップ４２となっているものであってもよい。
【００１８】
次ぎに、図４は、前記笛部４に外嵌して本体部２に着脱可能に取り付けられる笛カバー４５である。
笛カバー４５は、先端が開放され基端がドーム状に湾曲して塞がったカバーからなっており、図１に示すように笛部４の吹き口４１を覆うものであり、図４に示す図示例の場合は、笛部４先端のキャップ４２部分に係合手段によって係脱するようになっているが、直接に本体部２に係脱するようになっていてもよい。
【００１９】
この係合手段は公知構成を用いることができるが、図示例では笛カバー４５の先端内周壁面に凸状の係合構成部Ｋを設け、対向するキャップ４２部分の外周壁面に凹状の係合構成部（図示せず）を設けているが、凹凸は逆に配置してもよい。
この笛カバー４５には、ドーム状の頂部に丸環４７を介してカバー取り外し用のリング４６が連結されており、リング４６を介して笛カバー４５を引っ張って外すことができる。
また、この笛カバー４５は内部が空洞なので、所持者の氏名や連絡先、血液型などを記載した救命カード（図示省略）を丸めて収納してもよい。
【実施例２】
【００２０】
図５に示す警報発生用携帯ライト１は、笛部４の先端側の電池抑えキャップ４２に中空のカプセル部４７を形成しておき、該カプセル部４７の内に救命カードを収納しうるようになっている。
この場合は、笛カバーを設けない構成となっており、前記カプセル部４９に丸環４７を介してリング４６’が取り付けられている。
その他の構成は前記実施例と同様であるので、その説明を省略する。
【実施例３】
【００２１】
図６および図７に示す警報発生用携帯ライト１は、電池収納部を有する筒状の本体部２の先端に第１照明部７１を設けており、反対側の基端に第２照明部７２を有している。
本体部２は先端に第１発光部６１を保持すると共に、前記収納された電池との接点を有する頭部２ａを有している。
【００２２】
第１照明部７１は、前記発光部６を覆う筒状カバーと先端に設けられたレンズ３３とからなっている。
第２照明部７２は、第２発光部６２を覆うドーム状の透明カバー７２ａと、第２発光部６２を保持すると共に、電池収納部の基端側の電池抑えキャップ７２ｂとなって前記第２発光部６２に通電回路を接続する本体構成となっている。
また、図示例の場合、第２照明部７２の中途位置に丸環を介してリング４６’が取り付けられている。
【００２３】
次ぎに、笛部４は、先端に上記第２照明部７２を覆う略漏斗状のカバー４８を一体に設けたカバー付き笛部となっている。
そして、カバー付き笛部を外方に引っ張ると、図７、図８に示すように、第２照明部７２の第２発光部６２が通電する構成となっている。
【００２４】
即ち、第２照明部７２の外周壁には外方へ突出する方向に付勢された出没可能なスイッチＳ２が設けられており、前記カバー４８が第２照明部７２に嵌着した状態でスイッチＳ２が押し下げられて通電回路が開成し、第２発光部６２への通電が遮断される。
また、カバー４８が第２照明部７２から外れると、図示のようにスイッチＳ２が突出して通電回路が閉成し、第２発光部６２への通電が行われる。
なお、符号５１は、マイナス極の配線接続部材、５２はマイナス極の接続弾性部材、５３は接点である。
【００２５】
第１発光部６１への通電は、前記実施例と同様であり、スイッチＳ１の投入によって第１発光部６１は通電される。
その他の構成は前記実施例に準じるので、その説明を省略する。
【実施例４】
【００２６】
図９（ａ）は、本体部の基端に笛部４を回転可能に連結し、ロータリースイッチとして機能しうるようにした警報発生用携帯ライト１の異なる実施例を示す。
即ち、笛部４は、ローレットが施された回転操作部Ｓ３と一体になっており、該回転操作部Ｓ３または笛部４を回転することで、該回転操作部Ｓ３と連動する接点の動きで通電回路が開閉するようになっている。
この場合、電池収納部の電池抑えキャップ４２’は電池収納部の基端側に設けたが、電池収納部の先端側に設けるものでもよい（図９（ｂ）参照）。
【００２７】
ここで、前記実施例では、第１照明用筒体３１が遮光性を有する構成としたので、第１照明筒体３１を第２照明筒体３２に重ねた場合には、そのまま発光部６の光を前方へ照射することができるが、第１照明用筒体３１が遮光性を有しない場合には、第１照明用筒体３１に漏斗状の反射板８を連動可能に連結する構成としてもよい。
【００２８】
即ち、図１０に示すように、第１照明筒体３１が第２照明筒体３２に重なると、第１照明筒体３１と連動して反射板８が発光部６の電球を覆うので、発光部６の光は前方へのみガイドされて照射される。
第１照明筒体３１が引き出されて第２照明筒体３２から離間すると、発光部６の電球は、第２照明筒体３２を通って側方に照射される光は、第２照明筒体３２に着色された色彩（例えば赤色）の光となる。  
【実施例５】
【００２９】
図１１に示す警報発生用携帯ライト１は、電池収納部の電池抑えキャップ４２を電池収納部の後方の基端側に設けた実施例を示す。
笛部４は、ロータリスイッチとなる回転操作部Ｓ３を前方となる先端側に有しており、該回転操作部Ｓ３の先端は、電池収納部の後方に接続される電池抑えキャップ４２となっている。
【００３０】
この電池抑えキャップ４２の中央には電池のプラス極用のバネ状接点１０が設けられており、内周壁面には雌ネジＮ１が刻設されている。
一方、本体部２の後方となる基端側は電池収納部と連通して開放されており、その外周壁面には前記電池抑えキャップ４２に嵌挿して雌ネジと螺合する雄ねじＮ２が刻設されている。
【００３１】
また、前記バネ状接点１０の外側に外嵌するように電池抑え用のコイルスプリングＳ５が設けられ、また該コイルスプリングＳ５の先端側に配置する絶縁用のゴム製Ｏリング１１が設けられている。
そこで、笛部４を回転することで、電池抑えキャップ４２が本体部２の後部に外嵌して螺合され、電池抑え用のコイルスプリングＳ５が前方のＯリング１１と共に電池を前方のプラス極の接点方向へ押圧した状態となる。
【００３２】
笛部４を更に回転することで、コイルスプリングの内側にある前記バネ状接点が、電池の端部に近づいて接触することで通電回路がつながり、前記回転操作部Ｓ３を介して照明部３の発光部６を発光させることができる。
その他の構成は前記実施例と同様であるのでその説明を省略する。
【実施例６】
【００３３】
図１２（ａ）は、更に、音声発生部の一例としての電子ブザー部９を有する警報発生用携帯ライト１の異なる実施例を示す。
この本体部２は、電池収納部を有すると共に電子ブザー部９を内蔵しており、側面から見て略楕円形状からなっている。
本体部２の前方となる先端部には照明部３が形成されており、後方となる基端部にはロータリスイッチとなる回転操作部Ｓ３を有する笛部４が設けられた図示例構成からなっている。
【００３４】
図１２（ｂ）は警報発生用携帯ライト１の背面図であって、本体部２の背面側にライトやブザーのＯＮ−ＯＦＦ位置が表示されており、笛部４を持って、あるいは回転操作部Ｓ３を持ってスイッチ操作がしやすくなっている。
【００３５】
また、照明部３は前記実施例のように本体部２の前方へ突出する構造でもよいが、本実施例の場合は、本体部２に一部または全部が内蔵された一例を示す。
この場合、図１２（ｃ）に示すように、第２照明用筒体３２が本体部２の先端に内蔵されており、本体頭部２ａ’は透明部材で形成されている。
【００３６】
図示例では、第２照明用筒体３２の外周壁面に沿って環状溝Ｇが形成されており、該環状溝Ｇに第１照明用筒体３１が出没自在に摺動して収納されるようになっている。
この場合に、第１照明用筒体３１の先端は、収納時に前記本体部２の先端より僅かに突出するように形成しておけば第１照明用筒体３１を引き出しやすくなる（図１２（ｃ）参照）。
【実施例７】
【００３７】
図１３は、電子ブザー部９を有する警報発生用携帯ライト１の照明部３を本体部２の先端へ突設した異なる実施例を示す。
この場合、照明部３は、実施例１〜５と同様に、第２照明用筒体３２が本体部２の先端で突出方向に設けられており、第１照明用筒体３１が第２照明用筒体３２に摺動可能に外嵌して二重筒構造となっている。
その他の構成は、前記実施例６の警報発生用携帯ライト１と同様であるので、同一構成には同一符号を付してその説明を省略する。
【実施例８】
【００３８】
図１４は、前記図１２の警報発生用携帯ライト１から笛部４を除いた異なる実施例を示す。
本体部２の後方となる基端側には、ライトとブザーを制御するスイッチＳ６が設けられている。
このスイッチＳ６は、例えば、２段階に引き出すことができるスイッチからなっており、１段目に引き出すとライトのスイッチが投入され、２段目まで引き出すとライトと共に、あるいはライトに代えてブザーのスイッチが投入されるようになっている。
【００３９】
図中４６”は、スイッチＳ６を操作しやすくするためのリングである。
図示例では、前記スイッチＳ６はブザー専用のスイッチとしており、ライト用のスイッチＳ１は本体部２に設けられている。
その他の構成は前記実施例と同様である。
【００４０】
この発明は、上記実施例に限らず、各実施例に記載した各構成を他の実施例に適宜置き換えて実施してもよい。
また、例えば前記実施例６、７による音声による警報は、ブザー音に限定されず、例えばアラーム音やサイレン音など他の音を発生させる構成であってもよい。
また、前記各実施例では、第１照明用筒体を第２照明用筒体の外側に配置した二重構造としたが、逆に第２照明用筒体を第１照明用筒体の外側に配置する構成でもよい。
【００４１】
その場合、第１照明用筒体の先端には、引き出しやすいように引っ掛け片や鍔部などを設けてもよい。
その他、要するにこの発明の要旨を変更しない範囲で種々設計変更しうること勿論である。
【図面の簡単な説明】
【００４２】
【図１】本発明の実施例１の警報発生用携帯ライトの側面図である。
【図２】電池を乾電池に替えてボタン電池とし、クリップ部を外した場合の側面図である。
【図３】照明部の摺動構造を示す説明図であって（ａ）は照明部の側面図、（ｂ）は第１照明用筒体の側面図、（ｃ）は第２照明用筒体の側面図である。
【図４】笛カバーの側面図である。
【図５】実施例２の警報発生用携帯ライトの側面図である。
【図６】実施例３の警報発生用携帯ライトの側面図である。
【図７】同警報発生用携帯ライトの笛部を外した状態の側面図である。
【図８】同第２照明部の通電回路を示す模式図である。
【図９】（ａ）は実施例４の警報発生用携帯ライトの側面図、（ｂ）は照明部に設けた電池抑えキャップを示す側面図である。
【図１０】反射板を設けた場合の機能を説明する側面図である。
【図１１】実施例５の警報発生用携帯ライトであって（ａ）は笛部に電池抑えキャップを設けた場合の部分側面図、（ｂ）は分解側面図である。
【図１２】（ａ）は実施例６の警報発生用携帯ライトの側面図、（ｂ）は背面図、（ｃ）は照明部を示す側面図である。
【図１３】実施例７の警報発生用携帯ライトの側面図である。
【図１４】実施例８の警報発生用携帯ライトの側面図である。
【符号の説明】
【００４３】
１    警報発生用携帯ライト
２    本体部
２ａ  頭部
３    照明部
４    笛部
５    クリップ部
６    発光部
８    反射板
９    電子ブザー部
３１    第１照明用筒体
３２    第２照明用筒体
３４    取付溝
３５    バネ材
３６    スライド溝
３６ａ  第１段部
３６ｂ  第２段部
４１    吹き口
４２    電池抑えキャップ
４３    スプリング
４５    笛カバー
４６，４６’リング
４７    カプセル部
４８    カバー
６１    第１発光部
６２    第２発光部
７１    第１照明部
７２    第２照明部
Ｓ２    スイッチ
Ｓ３    回転操作部
【図１】
2007305316.tif 000003
【図２】
2007305316.tif 000004
【図３】
2007305316.tif 000005
【図４】
2007305316.tif 000006
【図５】
2007305316.tif 000007
【図６】
2007305316.tif 000008
【図７】
2007305316.tif 000009
【図８】
2007305316.tif 000010
【図９】
2007305316.tif 000011
【図１０】
2007305316.tif 000012
【図１１】
2007305316.tif 000013
【図１２】
2007305316.tif 000014
【図１３】
2007305316.tif 000015
【図１４】
2007305316.tif 000016